(57)【要約】【課題】この発明は、幼児、児童が、リアルな外観を持つ複数個の架装用ブロックを、容易に、結合・組立てが楽しめる結合組立走行玩具の提供。【解決手段】立体型ベースユニットと、その下面に取付けられるシャーシーと、前記立体型ベースユニット２に結合する複数個の装架用ブロックからなる結合組立走行玩具において、前記立体型ベースユニットに配備される結合用嵌合孔は、前後端面部と、左右側面部と、上面部において、縦・横の座標軸にしたがって互いに等間隔に多数個所設け、その中で一対の結合用嵌合孔を組み合わせ選択し、若しくは単独の結合用嵌合孔を使用して複数個の架装用ブロック結合してなる結合組立走行玩具。【選択図】　　　　図１
2004141433.tif 000002
【特許請求の範囲】
【請求項１】
立体型ベースユニットと、その下面に取付けられるシャーシーと、前記立体型ベースユニットに結合する複数個の装架用ブロックからなる結合組立走行玩具。
【請求項２】
前記立体型ベースユニットに配備される結合用嵌合孔は、前後端面部と、左右側面部と、上面部において、縦・横の座標軸にしたがって互いに等間隔に多数個所設け、その中で一対の結合用嵌合孔を組み合わせ選択し、若しくは単独の結合用嵌合孔を使用して架装用ブロックを結合してなる請求項１の結合組立走行玩具。
【請求項３】
前記立体型ベースユニットは、箱体型であって、前後端面部と、左右側面部と、上面部を備え、それら前後端面部と、左右側面部と、上面部には、少なくとも、等間隔で対応する一対の結合用嵌合孔を開口して備える請求項１または請求項２の結合組立走行玩具。
【請求項４】
前記立体型ベースユニットの下端には、シャーシーを配備し、このシャーシー上に取付けたプルバックゼンマイ等の原動機に連係する駆動後車輪軸と、前車輪軸とが配備してなる請求項１、請求項２または請求項３の結合組立走行玩具。
【請求項５】
前記前車輪軸の両端に取付ける前車輪の外面には連結部を備えてデコレーション拡大前車輪を連結可能に設け、前記後車輪軸の両端に取付ける後車輪の外面には連結部を備えてデコレーション拡大後車輪を連結可能に設けてなる請求項４の結合組立走行玩具。
【請求項６】
前記複数個の架装用ブロックは、キャビン部と後部とが一体の架装用後部部材と、エンジンカバーフロント部と前端部とが一体の架装用前部部材と、架装用左右側部部材とからなる請求項１、請求項２、請求項３、請求項４または請求項５の結合組立走行玩具。
【発明の詳細な説明】
【０００１】
【発明が属する技術分野】
この発明は、立体型ベースユニットの前後面部、左右面部および上面部に複数個の架装用ブロックを結合し、複数個の架装用ブロックが持つリアルな外観に結合組立てる結合組立走行玩具に関する。
【０００２】
【従来の技術】
従来、外形が方形体で、上面部に結合用突子を、反対の下面部に前記突子を嵌合する嵌入部を備えた方形体を連結して遊ぶブロック玩具が広く知られている。
【０００３】
【発明が解決しようとする課題】
前記従来の技術で説明したように、方形体のブロック玩具は、外形が単純であるため、リアルな外形を形成するためには、何百個、何千個を組みあげないと、できないものである。
【０００４】
この発明は、従来のブロック玩具の単純性を克服し、僅かな数のブロックの容易な結合で、実車、キャラクターまたは趣向に富むオリジナリナル玩具の外観を完成させる喜びと、それを走らせて楽しむことができる、幼児、児童に人気のある結合組立走行玩具を提供しようとするものである。
【０００５】
【課題を解決するための手段】
立体型ベースユニットと、その下面に取付けられるシャーシーと、前記立体型ベースユニット２に結合する複数個の装架用ブロックからなる結合組立走行玩具にある。
【０００６】
前記立体型ベースユニットに配備される結合用嵌合孔は、前後端面部と、左右側面部と、上面部において、縦・横の座標軸にしたがって互いに等間隔に多数個所設け、その中で一対の結合用嵌合孔を組み合わせ選択し、若しくは単独の結合用嵌合孔を使用して架装用ブロックを結合してなる結合組立走行玩具としてもよいものである。
【０００７】
前記立体型ベースユニットは、箱体型であって、前後端面部と、左右側面部と、上面部を備え、それら前後端面部と、左右側面部と、上面部には、少なくとも、等間隔で対応する一対の結合用嵌合孔を開口して備えてもよいものである。
【０００８】
前記立体型ベースユニットの下端には、シャーシーを配備し、このシャーシー上に取付けたプルバックゼンマイ等の原動機に連係する駆動後車輪軸と、前車輪軸とが配備してもよいものである。
【０００９】
前記前車輪軸の両端に取付ける前車輪の外面には連結部を備えてデコレーション拡大前車輪を連結可能に設け、前記後車輪軸の両端に取付ける後車輪の外面には連結部を備えてデコレーション拡大後車輪を連結可能に設けてもよいものである。
【００１０】
前記複数個の架装用ブロックは、キャビン部と後部とが一体の架装用後部部材と、エンジンカバーフロント部と前端部とが一体の架装用前部部材と、架装用左右側部部材とから構成してもよいものである。
【００１１】
【発明の実施の形態】
立体型ベースユニットと、その下面に取付けられるシャーシーと、前記立体型ベースユニットに結合する複数個の装架用ブロックからなる結合組立走行玩具において、前記立体型ベースユニットに配備される結合用嵌合孔は、前後端面部と、左右側面部と、上面部において、縦・横の座標軸にしたがって互いに等間隔に多数個所設け、その中で一対の結合用嵌合孔を組み合わせ選択し、若しくは単独の結合用嵌合孔を使用して架装用ブロックを結合し、前記立体型ベースユニットは、箱体型であって、前後端面部と、左右側面部と、上面部を備え、それら前後端面部と、左右側面部と、上面部には、少なくとも、等間隔で対応する一対の結合用嵌合孔を開口して備え、前記立体型ベースユニットの下端には、シャーシーを配備し、このシャーシー上に取付けたプルバックゼンマイ等の原動機に連係する駆動後車輪軸と、前車輪軸とが配備し、前記前車輪軸の両端に取付ける前車輪の外面には連結部を備えてデコレーション拡大前車輪を連結可能に設け、前記後車輪軸の両端に取付ける後車輪の外面には連結部を備えてデコレーション拡大後車輪を連結可能に設け、前記複数個の架装用ブロックは、キャビン部と後部とが一体の架装用後部部材と、エンジンカバーフロント部と前端部とが一体の架装用前部部材と、架装用左右側部部材とから構成してなる結合組立走行玩具。
【００１２】
【実施例】
以下、この発明の結合組立走行玩具を実施例として示す図面により説明すると、１は、この発明の実施例としての結合組立走行玩具であり、立体型ベースユニットは、図面に示す実施例では、箱型ベースユニット２として説明し、その下面に取付けられるシャーシー３と、前記箱型ベースユニット２に結合する複数個の架装用ブロック４から構成される。
【００１３】
前記箱型ベースユニット２は、図面に示す実施例では、箱体であって、前後端面部２ａ、２ｂと、左右側面部２ｃ、２ｄと、上面部２ｅを備え、それら前後端面部２ａ、２ｂと、左右側面部２ｃ、２ｄと、上面部２ｅには、少なくとも、等間隔で対応する一対の結合用嵌合孔５ａ、５ｂを開口して備え、下端の底面を開口部２ｆとするものである。
【００１４】
前記一対の結合用嵌合孔５ａ、５ｂは、図示のように、前後端面部２ａ、２ｂと、左右側面部２ｃ、２ｄと、上面部２ｅにおいて、縦・横の座標軸にしたがって互いに等間隔に多数個所設け、その中で一対の結合用嵌合孔５ａ、５ｂを選択し、組み合わせて使用してもよいものである。
【００１５】
前記箱型ベースユニット２の下端の底面開口部２ｆには、前記シャーシー３を嵌合して取付けている。この取付け構造について、図３および図５に示すように、前端面部２ａの下部前方突出部２ａ１に係合孔６を設け、シャーシー３の前端部３ａに前方に突出する係合部３ａ１を嵌合し、シャーシー３の後端部３ｂ寄りに上下に開口したネジ孔７からネジ（図示しない）を差し入れ、そのネジの先端を箱型ベースユニット２の後端面部２ｂの内側に設けたネジ受部８に螺合して固着するものである。
【００１６】
前記箱型ベースユニット２の左右側面部２ｃ、２ｄには、シャーシー３上に回転自在に軸受される前車輪軸９を挿通する前溝１０ａ、１０ｂと、同じく、シャーシー３上に取付けられるプルバックゼンマイ原動機１１に連係する駆動後車輪軸１２を挿通する後溝１３ａ、１３ｂを前後に設けている。
【００１７】
前記前車輪軸９の両端に取付ける前車輪１４の外面には連結部１５を備えてデコレーション拡大前車輪１６を連結可能に設けている。前記駆動後車輪軸１２の両端に取付ける後車輪１７の外面には連結部１８を備えてデコレーション拡大後車輪１９を連結可能に設けている。
【００１８】
前記前車輪１４の外面の連結部１５は、図面の実施例では、軸心の嵌合孔１５ａにデコレーション拡大前車輪１６の連結軸１６ａを圧入することによって連結できる構造にしている。後車輪１７の外面の連結部１８も、同様に嵌合孔１８ａに設け、デコレーション拡大後車輪１９の連結軸１９ａを圧入することによって連結できる構造にしている。もっとも、連結部１５、連結部１８とも、図示しないが、反対に軸部とし、デコレーション拡大前車輪１６の連結軸１６ａと、デコレーション拡大後車輪１９の連結軸１９ａを、夫々反対に嵌合孔に設けてもよいものである。
【００１９】
前記複数個の架装用ブロック４は、図７〜図１６に示す実施例では、架装用後部部材２０、架装用前部部材２１と、架装用右側部部材２２および架装用左側部部材２３から構成している。
【００２０】
図８および図９に示ように、前記架装用後部部材２０は、キャビン部２０ａと後端カバー部２０ｂを一体に形成し、そのキャビン部２０ａの内天上面２０ｃから係合取付軸２４ａ、２４ｂ、２４ｃ、２４ｄを前記箱型ベースユニット２の上面部２ｅの結合用嵌合孔５ａ、５ｂと対応する位置に適合して垂設し、架装用後部部材２０の全体を下方に押し込んで、その垂設する係合取付軸２４ａ、２４ｂ、２４ｃ、２４ｄを前記箱型ベースユニット２の上面部２ｅの結合用嵌合孔５ａ、５ｂに夫々圧嵌して取付け、そのキャビン部２０ａで箱型ベースユニット２における上面部２ｅ後半の一部を覆い、また、後端カバー部２０ｂで同じく、箱型ベースユニット２の上面部２ｅ後半の一部と後端面部２ｂを覆うものである。そして、前記キャビン部２０ａの屋根上に結合用嵌合孔２５ａ，２５ｂを、また、後端カバー部２０ｂの上面２０ｂ１に結合用嵌合孔２５ｃ、２５ｄと、結合用嵌合孔２５ｅ、２５ｆを、背面２０ｂ２に結合用嵌合孔２５ｇ、２５ｈを夫々所要の間隔で縦軸方向と横軸方向に開口している。
【００２１】
図１０および図１１に示す前記架装用前部部材２１は、エンジンカバーフロント部２１ａと前端部２１ｂと前部サイドカバー部２１ｃ、２１ｄを一体に設け、前端部２１ｂの内面に後方に突出する取付軸２６ａ、２６ｂを前記箱型ベースユニット２の前端面部２ａの結合用嵌合孔５ａ、５ｂに圧入し、そのエンジンカバーフロント部２１ａで前記箱型ベースユニット２の上面部２ｅの前半を覆い、エンジンカバーフロント部２１ａで前記箱型ベースユニット２の前端部２ａを覆い、前部サイドカバー部２１ｃ、２１ｄで、前記箱型ベースユニット２の左右側面部２ｃ、２ｄの前部を覆うものである。そして、エンジンカバーフロント部２１ａに上方から圧入する結合用嵌合孔２７ａ、２７ｂを左右横方向に離隔して開口し、前端部２１ｂに、前方から圧入する結合用嵌合孔２８ａ、２８ｂを左右横方向に離隔して開口している。
【００２２】
図１２および図１３に示す前記架装用右側部部材２２は、外面側にアクセサリー取付け孔２９、内面側にこの部材を取付ける取付軸３０を設けており、この取付軸３０を前記箱型ベースユニット２の右側面部２ｄの結合用嵌合孔５ａまたは５ｂに圧入して取付けている。架装用左側部部材２３は、少なくとも、前記架装用右側部部材２２と同様に内面側に図示しないが、取付軸を設けている。勿論、アクセサリー取付孔を設けてもよいものである。
【００２３】
図１５〜図２０はアクセサリー部材の実施例を示すものであって、図１５は、動物除けバンパーを模している前部バンパーアクセサリー部材３１で、前記架装用前部部材２１の前端部２１ｂの外面を装飾するもので、背面に前記前端部２１ｂの結合用嵌合孔２８ａ、２８ｂに圧嵌する取付軸３２ａ、３２ｂを備えるものである。
【００２４】
図１６は、クーラーを模している前部クーラーアクセサリー部材３３で、内面に設けた取付軸３４ａ、３４ｂを前記架装用前部部材２１のエンジンカバーフロント部２１ａに備えた結合用嵌合孔２７ａ、２７ｂに圧嵌して配備する。
【００２５】
図１７は、エンジンの排気管を模した排気管アクセサリー部材３５で、前記架装用右側部部材２２を装飾するもので、下端を横に屈曲し、取付軸部３５ａとしている。
【００２６】
図１８は、サーチライトタワーを模しているサーチライトタワーアクセサリー部材３６で、架装用後部部材２０の後部上面に立設して装飾するもので、門型をなし、両下端を取付軸３６ａ、３６ｂとしている。
【００２７】
図１９は、後端面アクセサリー取付部材３７で、架装用後部部材２０の後端面を装飾するもので、内面となる前面に取付軸３８ａ、３８ｂを備え、前記架装用後部部材２０の後端カバー部２０ｂの結合用嵌合孔２５ｇ、２５ｈに圧嵌自在に設けている。この背面となる外面には、結合用嵌合孔３９ａ、３９ｂを設けている。
【００２８】
図２０は、緩衝アクセサリー部材４０は、前記後端面アクセサリー取付部材３７の背面をさらに施飾するもので、内面となる前面に取付軸４１を備え、前記後端面アクセサリー取付部材３７の結合用嵌合孔３９ａ、３９ｂに一個宛て圧嵌し、左右に二個配備するものである。
【００２９】
図２１に示すデコレーション拡大前車輪１６は、連結軸１６ａの構造を示すものである。
【００３０】
図２２に示すデコレーション拡大後車輪１９は、同じく、連結軸１９ａを示すものである。
【００３１】
この発明の結合組立走行玩具は、以上のように構成されから、例えば、プルバック付き等の源動力付きの箱型ベースユニット２における結合用嵌合孔５ａ、５ｂに、リアルな外観の複数個の架装用ブロック４の内面に突出する取付軸を圧嵌することにより、幼児、児童が容易に結合、組み立てをすることができるものである。
【００３２】
また、各複数個の架装用ブロック４の外面に結合用嵌合孔を設け、さらに、アクセサリー部材の取付軸を設けて、それらを積重して取り付け、幼児、児童が容易に複雑な外観の玩具を完成することができるものである。
【００３３】
また、箱型ベースユニット２の結合用嵌合孔５ａ、５ｂと架装用部材の取付軸との間隔を予め縦軸、横軸とに決めて置くので、汎用して各種架装用ブロック構成する部材を取り付けることができるものである。
【００３４】
また、架装用ブロックとアクセサリー部材との間隔を部材毎に相違させると、相互の組み合わせが決まり、他物品との混同をなくすことができる。
【００３５】
また、ベースユニットは、立体的であり、箱型として架装用ブロックの結合・組立を趣向に富むものにするのである。
【００３６】
完成後には、動力付きであるので、走らせて遊ぶことができ、組立の過程と完成後の両方を楽しめるものである。
【００３７】
【発明の効果】
この発明の結合組立走行玩具は、以上のようになるから、幼児、児童が容易な結合、組み立ての中にリアルな外観に引かれて創造の喜びを楽しむことができる知育玩具を提供できる。
【図面の簡単な説明】
【図１】この発明の結合組立走行玩具を構成する箱型ベースユニットの正面下方からの斜視図である。
【図２】同じく、箱型ベースユニットの背面下方からの斜視図である。
【図３】同じく、箱型ベースユニットを反転し、下方を上面として内部構成を示す斜視図である。
【図４】前記箱型ベースユニットに結合する原動機ユニットの正面斜視図である。
【図５】同じく、原動機ユニットの下面を上方とした場合の斜視図である。
【図６】同じく、原動機ユニットの両側に拡大車輪の連結部を備えた通常車輪を有する車軸の一部切欠き正面図である。
【図７】原動機ユニットを箱型ベースユニットに取付け、その箱型ベースユニットに複数個の架装用ブロックを架装した結合組立状態及び各通常車輪の外側に結合する拡大車輪を対応して示す斜視図である。
【図８】キャビン部と後部と一体の架装用後部部材を正面からみた斜視図である。
【図９】同じく、架装用後部部材を反転して背面からの内部の結合構造を示す斜視図である。
【図１０】エンジンカバーフロント部と前端部とが一体の架装用前部部材を正面からみた斜視図である。
【図１１】同じく、架装用前部部材を反転して内部を示す背面からの斜視図である。
【図１２】架装用右側部部材の外面側斜視図である。
【図１３】おなじく、架装用右側部部材の内面側斜視図である。
【図１４】架装用各種部材をさらに装飾する各種デコレーション部材の斜視図である。
【図１５】架装用前部部材を装飾する前部バンパーアクセサリー部材の外面図である。
【図１６】同じく、前部クーラーアクセサリー部材の内面図である。
【図１７】架装用右側部部材を装飾する排気管アクセサリー部材の側面図である。
【図１８】架装用後部部材の後部上面を装飾するサーチライトアクセサリー部材の背面図である。
【図１９】架装後部部材の後端面を装飾する後端面アクセサリー取付部材の背面図である。
【図２０】後端面アクセサリー取付部材の背面をさらに施飾する緩衝アクセサリー部材の背面図である。
【図２１】デコレーション拡大前車輪の縦断側面図である。
【図２２】デコレーション拡大後車輪の縦断側面図である。
【図２３】この発明の結合組立走行玩具の各種アクセサリー部材、デコレーション部材の取付状態の一例を示す正面からの斜視図である。
【図２４】同じく、背面からの斜視図である。
【符号の説明】
１　この発明の実施例としての結合組立走行玩具
２　箱型ベースユニット
２ａ　前端面部
２ａ１　下部前方突出部
２ｂ　後端面部
２ｃ　左側面部
２ｄ　右側面部
２ｅ　上面部
２ｆ　開口部
３　シャーシー
３ａ　前端部
３ａ１　係合部
３ｂ　後端部
３ｂ１　ネジ孔
４　複数個の架装用ブロック
５ａ　結合用嵌合孔
５ｂ　結合用嵌合孔
６　係合孔
７　ネジ孔
８　ネジ受部
９　前車輪軸
１０ａ　前溝
１０ｂ　前溝
１１　プルバックゼンマイ原動機
１２　駆動後車輪軸
１３ａ　後溝
１３ｂ　後溝
１４　前車輪
１５　連結部
１５ａ　嵌合孔
１６　デコレーション拡大前車輪
１６ａ　連結軸
１７　後車輪
１８　連結部
１８ａ　嵌合孔
１９　デコレーション拡大後車輪
１９ａ　連結軸
２０　架装用後部部材
２０ａ　キャビン部
２０ｂ　後端カバー部
２０ｂ１　上面
２０ｂ２　背面
２０ｃ　内天上面
２１　架装用前部部材
２１ａ　エンジンカバーフロント部
２１ｂ　前端部
２１ｃ　前部サイドカバー部
２１ｄ　前部サイドカバー部
２１ｇ　結合用嵌合孔
２１ｈ　結合用嵌合孔
２２　架装用右側部部材
２３　架装用左側部部材
２４ａ　係合取付軸
２４ｂ　係合取付軸
２４ｃ　係合取付軸
２４ｄ　係合取付軸
２５ａ　結合用嵌合孔
２５ｂ　結合用嵌合孔
２５ｃ　結合用嵌合孔
２５ｄ　結合用嵌合孔
２５ｅ　結合用嵌合孔
２５ｆ　結合用嵌合孔
２５ｇ　結合用嵌合孔
２５ｈ　結合用嵌合孔
２６ａ　取付軸
２６ｂ　取付軸
２７ａ　結合用嵌合孔
２７ｂ　結合用嵌合孔
２７ｃ　結合用嵌合孔
２７ｄ　結合用嵌合孔
２８ａ　結合用嵌合孔
２８ｂ　結合用嵌合孔
２９　アクセサリー取付け孔
３０　取付軸
３１　前部バンパーアクセサリー部材
３２ａ　取付軸
３２ｂ　取付軸
３３　前部クーラーアクセサリー部材
３４ａ　取付軸
３４ｂ　取付軸
３５　排気管アクセサリー部材
３５ａ　取付軸部
３６　サーチライトタワーアクセサリー部材
３６ａ　取付軸
３６ｂ　取付軸
３７　後端面アクセサリー取付部材
３８ａ　取付軸
３８ｂ　取付軸
３９ａ　結合用嵌合孔
３９ｂ　結合用嵌合孔
４０　緩衝アクセサリー部材
４１　取付軸
【図１】
2004141433.tif 000003
【図２】
2004141433.tif 000004
【図３】
2004141433.tif 000005
【図４】
2004141433.tif 000006
【図５】
2004141433.tif 000007
【図６】
2004141433.tif 000008
【図７】
2004141433.tif 000009
【図８】
2004141433.tif 000010
【図９】
2004141433.tif 000011
【図１０】
2004141433.tif 000012
【図１１】
2004141433.tif 000013
【図１２】
2004141433.tif 000014
【図１３】
2004141433.tif 000015
【図１４】
2004141433.tif 000016
【図１５】
2004141433.tif 000017
【図１６】
2004141433.tif 000018
【図１７】
2004141433.tif 000019
【図１８】
2004141433.tif 000020
【図１９】
2004141433.tif 000021
【図２０】
2004141433.tif 000022
【図２１】
2004141433.tif 000023
【図２２】
2004141433.tif 000024
【図２３】
2004141433.tif 000025
【図２４】
2004141433.tif 000026